(57)【要約】【課題】構成部材がバラバラの状態となるようなことはなく、手で一度に持ち易いものとなって操作性が良くなり、保管したり、運搬したりする場合に、構成部材が散乱したり、構成部材の一部を紛失してしまうことのないガードフェンス連結具を提供する。【解決手段】隣り合うガードフェンス１の互いに突き合わせた両縦枠１ａを、一側から挟持する挟持部２ａを有した基板２と、両縦枠１ａを他側から挟持する挟持部３ａを有した当て板３と、これら基板２と当て板３を締結して両縦枠１ａを挟持固定する締結具４とからなり、締結具４は、基板２の中央部の通孔５から当て板３の中央部の通孔６を貫通するボルト７と、このボルト７の軸部７ａに設けたネジ溝８に螺合するナット９とからなり、ボルト７の軸部７ａには、ナット９の移動を可能とした延長軸部７ｂが設けられており、この延長軸部７ｂの先端部には、ナット９の脱落防止手段１０を取り付けた。【選択図】図２
2008291464.tif 000002
【特許請求の範囲】
【請求項１】
隣り合うガードフェンス（１）の互いに突き合わせた両縦枠（１ａ）を、一側から挟持する挟持部（２ａ）を有した基板（２）と、前記両縦枠（１ａ）を他側から挟持する挟持部（３ａ）を有した当て板（３）と、これら基板（２）と当て板（３）を締結して前記両縦枠（１ａ）を挟持固定する締結具（４）とからなり、前記締結具（４）は、基板（２）の中央部の通孔（５）から当て板（３）の中央部の通孔（６）を貫通するボルト（７）と、このボルト（７）の軸部（７ａ）に設けたネジ溝（８）に螺合するナット（９）とからなり、さらに前記ボルト（７）の軸部（７ａ）には、前記ナット（９）の移動を可能とした延長軸部（７ｂ）が設けられており、この延長軸部（７ｂ）の先端部には、前記ナット（９）の脱落防止手段（１０）を設けたことを特徴とするガードフェンス連結具。
【請求項２】
前記ボルト（７）の軸部（７ａ）の基端（ｐ）の断面形状を角を有する形状とすると共に、前記基板（２）に設けた通孔（５）の形状を前記基端（ｐ）が嵌まり込んで、基板（２）が回転不能となるような形状にしたことを特徴とする請求項１記載のガードフェンス連結具。
【請求項３】
前記ボルト（７）の軸部（７ａ）の基端（ｐ）を基板（２）の通孔（５）に固着させたことを特徴とする請求項１記載のガードフェンス連結具。
【請求項４】
前記脱落防止手段（１０）を、前記延長軸部（７ｂ）の先端（ｔ）に設けた通孔（１１）に止着した止ピン（１２）としたことを特徴とする請求項１〜３の何れかに記載のガードフェンス連結具。
【発明の詳細な説明】
【技術分野】
【０００１】
この発明は、建築工事現場や道路工事現場等で使用されるガードフェンスの連結具に関するものである。
【背景技術】
【０００２】
従来、この種のガードフェンス連結具は、建築工事現場や道路工事現場等を取り囲んだ隣り合うガードフェンスの縦枠どうしを連結するのに使用されている。
【０００３】
このようなガードフェンス連結具は、例えば図５〜８に示したように、パイプ等からなる互いの縦枠１ａを突き合わせて並べるようにしたガードフェンス１において、前記両縦枠１ａを内外の一側から挟持する挟持部２２ａを有した基板２２と、前記両縦枠１ａを内外の他側から挟持する挟持部２３ａを有した当て板２３と、これら基板２２と当て板２３を締結して前記両縦枠１ａを挟持固定する締結具２４とからなるものとしている。
【０００４】
前記締結具２４は、基板２２の中央部の通孔２５から当て板２３の中央部の通孔２６を貫通するボルト２７と、このボルト２７のネジ溝２８に螺合するナット２９とからなり、このナット２９を締め付けることにより、前記基板２２と当て板２３を締結して、前記両縦枠１ａを挟持固定するようにしている（非特許文献１）。
【非特許文献１】「ＮＫフェンスバリケード」の「連結金具」、〔online〕日本機電株式会社のホームページの「取扱商品」〔平成１９年５月１６日検索〕、インターネット＜ＵＲＬ：http://www.n-kiden.co.jp/ ＞
【発明の開示】
【発明が解決しようとする課題】
【０００５】
しかしながら、上記従来のガードフェンス連結具では、前記締結具２４のボルト２７のネジ溝２８に螺合したナット２９を緩めていくと、ボルト２７からナット２９が外れ、図７、８に示したように、これらボルト２７とナット２９はバラバラの状態となる。また、ボルト２７からナット２９が外れると、当て板２３もボルト２７から抜けて、これらボルト２７、ナット２９および当て板２３はバラバラの状態となる。さらに、ボルト２７から当て板２３が抜けると、基板２２もボルト２７から抜けて、これらボルト２７、ナット２９、当て板２３および基板２２のすべてがバラバラの状態になることがある。
【０００６】
ところで、上記従来のガードフェンス連結具は、ガードフェンス１の縦枠１ａどうしを連結する場合に、これら縦枠１ａに取り付けるときも、これら縦枠１ａから外すときも、ボルト２７から少なくてもナット２９と当て板２３を外さなければならず、これらボルト２７、ナット２９および当て板２３がバラバラの状態となるので、これら部材を手で一度には持ち難くなり、非常に操作性が悪いという問題点を有していた。
【０００７】
さらに、上記従来のガードフェンス連結具では、ボルト２７にナット２９を螺合させた状態で保管しておいたり、運搬したりする場合にも、振動や何かの具合でボルト２７に螺合したナット２９が緩み、ボルト２７からナット２９が外れ、前記構成部材の一部またはすべてがバラバラの状態となって、構成部材が散乱してしまったり、構成部材の一部を紛失してしまったりするという問題点を有していた。
【０００８】
そこで、この発明は、上記従来の問題点を解消するものであり、構成部材がバラバラの状態となるようなことはなく、手で一度に持ち易いものとなって操作性が良くなり、さらに保管しておいたり、運搬したりする場合にも、構成部材が散乱してしまったり、構成部材の一部を紛失してしまうことのないガードフェンス連結具を提供することを目的としてなされたものである。
【課題を解決するための手段】
【０００９】
この発明のガードフェンス連結具は、隣り合うガードフェンス１の互いに突き合わせた両縦枠１ａを、一側から挟持する挟持部２ａを有した基板２と、前記両縦枠１ａを他側から挟持する挟持部３ａを有した当て板３と、これら基板２と当て板３を締結して前記両縦枠１ａを挟持固定する締結具４とからなり、前記締結具４は、基板２の中央部の通孔５から当て板３の中央部の通孔６を貫通するボルト７と、このボルト７の軸部７ａに設けたネジ溝８に螺合するナット９とからなり、さらに前記ボルト７の軸部７ａには、前記ナット９の移動を可能とした延長軸部７ｂが設けられており、この延長軸部７ｂの先端部には、前記ナット９の脱落防止手段１０を設けたものとしている。
【００１０】
そして、この発明のガードフェンス連結具は、前記ボルト７の軸部７ａの基端ｐの断面形状を角を有する形状とすると共に、前記基板２に設けた通孔５の形状を前記基端ｐが嵌まり込んで、基板２が回転不能となるような形状にすることができる。
【００１１】
さらに、この発明のガードフェンス連結具は、前記ボルト７の軸部７ａの基部ｐを基板２の通孔５に固着させておくこともできる。
【００１２】
また、この発明のガードフェンス連結具は、前記脱落防止手段１０を、前記延長軸部７ｂの先端ｔに設けた通孔１１に止着した止ピン１２としている。
【発明の効果】
【００１３】
この発明のガードフェンス連結具は、以上に述べたように構成されているので、構成部材がバラバラの状態となるようなことはなく、手で一度に持ち易いものとなって操作性が良くなり、さらに保管しておいたり、運搬したりする場合にも、構成部材が散乱してしまったり、構成部材の一部を紛失してしまうことのないものとなった。
【発明を実施するための最良の形態】
【００１４】
以下、この発明のガードフェンス連結具の実施の形態を、図面に基づいて詳細に説明する。
【００１５】
この発明のガードフェンス連結具は、図１〜４に示したように、建築工事現場や道路工事現場等を取り囲んだ隣り合うガードフェンス１の互いに突き合わせた両縦枠１ａを、内外の一側から挟持する挟持部２ａを有した基板２と、前記両縦枠１ａを内外の他側から挟持する挟持部３ａを有した当て板３と、これら基板２と当て板３を締結して前記両縦枠１ａを挟持固定する締結具４とからなるものとしている。
【００１６】
ガードフェンス１の縦枠１ａは、通常、丸パイプからなっているが、角パイプからなる場合もあり、また円柱や角柱からなる場合もあるが、この縦枠１ａの形状は限定されない。
【００１７】
基板２は、中央部に通孔５を設け、中央部から両側に前記挟持部２ａを設けており、この挟持部２ａは曲げ加工するなどして、前記縦枠１ａのパイブ形状や柱形状に沿うような形状とするのが好ましい。
【００１８】
当て板３は、基板２と同様、中央部に通孔６を設け、中央部から両側に前記挟持部３ａを設けており、この挟持部３ａは曲げ加工するなどして、前記縦枠１ａのパイブ形状や柱形状に沿うような形状とするのが好ましい。なお、前記当て板３は、基板２と見分けがつくように、基板２と異形の部材としてもよいが、生産面やコスト面を考慮すれば、基板２と同形の部材とするのが好ましい。
【００１９】
締結具４は、基板２の中央部の通孔５から当て板３の中央部の通孔６を貫通するボルト７と、このボルト７の軸部７ａに設けたネジ溝８に螺合するナット９とからなる。前記ボルト７の軸部７ａには、前記ナット９の移動を可能とした延長軸部７ｂが設けられており、この延長軸部７ｂの先端部には、前記ナット９の脱落防止手段１０を設けたものとしている。この延長軸部７ｂは、軸部７ａの軸径より小径にし、前記ナット９が延長軸部７ｂに沿って移動できるようにしている。なお、前記延長軸部７ｂには、ネジ溝８に連続するネジ溝（図示せず）を設けて、前記ナット９がこのネジ溝に螺合した状態で移動できるようにしてもよい。
【００２０】
また、前記ボルト７の軸部７ａは、基端ｐの断面形状を四角形等の角を有する形状とすることができる。この場合、前記基板２に設けた通孔５の形状も、四角形等の基端ｐが嵌まり込んで、基板２が回転不能となるような形状にすることができる。また、前記ボルト７の軸部７ａは、溶接するなどしてその基部ｐを基板２の通孔５に固着させておくこともできる。このようにすると、前記ボルト７からナット９が外れる外れないにかかわらず、基板２はボルト７から外れないものとなる。
【００２１】
ナット９は、図示したものでは、六角ナットにしているが、操作性を良くするために蝶ナットにしてもよい。
【００２２】
脱落防止手段１０は、前記延長軸部７ｂの先端ｔに設けた通孔１１に止着した止ピン１２としている。このようにすると、前記脱落防止手段１０は、構造が非常に簡単なものとなり好ましいが、これに限定されるものではない。
【００２３】
この発明のガードフェンス連結具は、以上に述べたように構成されているので、これを使用するには、次のようにして行う。
【００２４】
先ず、この発明のガードフェンス連結具は、図３に示したように、ボルト７の軸部７ａのネジ溝８からナット９を外した状態にし、基板２と当て板３との間を広く開けておく。このようにした状態で、建築工事現場や道路工事現場等を取り囲んだ複数のガードフェンス１の互いに突き合わせた両縦枠１ａに、外側から基板２の挟持部２ａを押し当て、内側から当て板３の挟持部３ａを押し当てる。そして、前記ナット９をボルト７の軸部７ａのネジ溝８に螺合させ締め付けていくと、このナット９により当て板３が押されて、前記基板２と当て板３との間が狭められていき、図１、２に示したように、基板２と当て板３の間に前記両縦枠１ａが挟持固定される。
【００２５】
次に、この発明のガードフェンス連結具を前記両縦枠１ａから外すには、ボルト７の軸部７ａのネジ溝８に螺合したナット９を緩めていけばよい。すると、このナット９は、前記ネジ溝８から外れ、延長軸部７ｂに達するが、この延長軸部７ｂの先端部には脱落防止手段１０を設けたものとしているので、延長軸部７ｂを移動しても、ボルト７から外れることがない。前記ナット９がボルト７から外れることがないので、このナット９により、当て板３および基板２もボルト７から外れることがない。
【００２６】
したがって、この発明のガードフェンス連結具では、ガードフェンス１の縦枠１ａどうしを連結する場合に、これら縦枠１ａに取り付けるときも、これら縦枠１ａから外すときも、構成部材がバラバラの状態となるようなことはなく、手で一度に持ち易いものとなるので、操作性が良くなる。さらに、この発明のガードフェンス連結具を保管しておいたり、運搬したりする場合にも、構成部材が散乱してしまったり、構成部材の一部を紛失してしまうようなことはないものとなる。
【図面の簡単な説明】
【００２７】
【図１】この発明のガードフェンス連結具を使用してガードフェンスの突き合わせた両縦枠を連結した状態を示す斜視図である。
【図２】図１に示す状態のこの発明のガードフェンス連結具の拡大斜視図である。
【図３】この発明のガードフェンス連結具のボルトの軸部のネジ溝からナットを外した状態を示す斜視図である。
【図４】この発明のガードフェンス連結具の分解斜視図である。
【図５】従来のガードフェンス連結具を使用してガードフェンスの突き合わせた両縦枠を連結した状態を示す斜視図である。
【図６】図５に示す状態の従来のガードフェンス連結具の拡大斜視図である。
【図７】従来のガードフェンス連結具のボルトの軸部のネジ溝からナットを外した状態を示す斜視図である。
【図８】従来のガードフェンス連結具の分解斜視図である。
【符号の説明】
【００２８】
１  ガードフェンス
１ａ  縦枠
２  基板
２ａ  挟持部
３  当て板
３ａ  挟持部
４  締結具
５  通孔
６  通孔
７  ボルト
７ａ  軸部
７ｂ  延長軸部
８  ネジ溝
９  ナット
１０  脱落防止手段
１１  通孔
１２  止めピン
ｐ  基端
ｔ  先端
【図１】
2008291464.tif 000003
【図２】
2008291464.tif 000004
【図３】
2008291464.tif 000005
【図４】
2008291464.tif 000006
【図５】
2008291464.tif 000007
【図６】
2008291464.tif 000008
【図７】
2008291464.tif 000009
【図８】
2008291464.tif 000010